(57)【要約】【課題】音透過板をキャビネットから取り外す場合に、音透過板の爪部の先端部を掴みやすく、容易に先端部の係止凸部への係止を解除することができる音透過板の取付構造、並びに該取付構造を有する音声出力装置及び表示装置を提供する。【解決手段】表示装置９は、下部に音声出力装置４を備えており、音声出力装置４は、音源１、キャビネット２、及び音透過板３を備える。音透過板３は、下辺部に爪部３１を複数備え、キャビネット２は、爪部３１を挿通する挿通孔２０と、底面２１ｃ、底面２１ｃに沿って挿通させた爪部３１を奥側で折り曲げて沿わせる先端面２１ａ、及び爪部３１の先端部を先端面２１ａとの角部で折り返して当接させる当接面２１ｂを有する係止凸部２１とを備える。当接面２１ｂは、挿通孔２０の入側から奥側に向かって係止凸部２１が肉薄になるように底面２１ｃに対し傾斜している。【選択図】図１
2008109297.tif 000002
【特許請求の範囲】
【請求項１】
音源で発生した音声を外部へ透過させる音透過板を、前記音源を覆うキャビネットの一部又は全部を覆うように取り付ける構造であり、
前記音透過板は、周縁部の一部に爪部を複数有し、
前記キャビネットは、
各爪部を挿通させる挿通孔と、
該挿通孔の周面の一部が内側に突出してなり、前記周面の一部に沿って挿通させた前記爪部を折り曲げて沿わせる先端面、及び前記爪部を前記先端面の端部でさらに折り返して当接させる当接面を有する係止凸部と
を備え、
前記爪部が前記先端面及び当接面に係止される取付構造において、
前記当接面は、前記挿通孔の入側から奥側に向かって前記係止凸部が肉薄になるように、前記周面の一部に対し傾斜していることを特徴とする音透過板の取付構造。
【請求項２】
前記先端面は、前記挿通孔の入側から奥側に向かって前記係止凸部が肉薄になるように、前記周面の一部に対し傾斜している請求項１に記載の音透過板の取付構造。
【請求項３】
前記キャビネットは、
前記挿通孔の前記周面の一部に対向する部分が内側に突出してなる突起部と、
該突起部の前記挿通孔と反対側に設けられた凹部と
を備える請求項１又は２に記載の音透過板の取付構造。
【請求項４】
前記キャビネットは、前記凹部を有し、音声を透過させる側に設けられたキャビネット半体と、音声を透過させる側と反対側に設けられたキャビネット半体とからなり、
該キャビネット半体は、前記凹部に嵌合されるように構成されている請求項３に記載の音透過板の取付構造。
【請求項５】
音源と、該音源を覆うキャビネットと、前記音源及びキャビネットを覆い、前記音源で発生した音声を外部へ透過させる音透過板とを備える音声出力装置において、
請求項１乃至４のいずれか１つに記載の音透過板の取付構造により前記音透過板が前記キャビネットに取り付けられていることを特徴とする音声出力装置。
【請求項６】
表示面と、音源と、前記表示面の周縁部及び前記音源を覆うキャビネットと、前記音源、及び前記キャビネットの前記音源を覆っている部分を覆い、前記音源で発生した音声を外部へ透過させる音透過板とを備える表示装置において、
請求項１乃至４のいずれか１つに記載の音透過板の取付構造により前記音透過板が前記キャビネットに取り付けられていることを特徴とする表示装置。
【発明の詳細な説明】
【技術分野】
【０００１】
本発明は、音透過板をキャビネットから容易に取り外すことができる音透過板の取付構造、並びに該取付構造を有する音声出力装置及び表示装置に関する。
【背景技術】
【０００２】
電子楽器、音響機器、液晶表示装置を含む表示装置等のスピーカーを有する機器においては、パンチングメタル、エッチングメタル等からなる音透過板（スピーカーネット）を、合成樹脂製成形品からなるキャビネットに高周波溶着により取り付けるものがある。この音透過板の取付構造によれば、高周波溶着により音透過板とキャビネットとを完全に固定することができるので、スピーカーの発音時の振動によって音透過板と機器ケースとがガタついて雑音を発生することがない。しかし、この音透過板の取付構造では、音透過板とキャビネットとが完全に固定されるので、機器を解体するときに、音透過板とキャビネットとを分離することができず、資源の再利用上、好ましくないという問題がある。
【０００３】
図８は、音透過板をキャビネットから分離することができる音透過板の取付構造の一部を示す断面図であり、図中、１０３は音透過板である。
平面視が略矩形である音透過板１０３の下辺部には複数の爪部１０４が設けられている。キャビネット１００は、各爪部１０４が挿通される挿通孔１０２と、該挿通孔１０２の上側に設けられた係止凸部１０１とを備えている。係止凸部１０１は、底面１０１ｃと、先端面１０１ａと、当接面１０１ｂとを備える。
この構造においては、音透過板１０３の下辺側端部をキャビネット１００の、挿通孔１０２の下側表面に沿わせて折り曲げ、さらに挿通孔１０２の入側で折り曲げて爪部１０４を挿通孔１０２に挿通させる。そして、爪部１０４の先端部を係止凸部１０１の底面１０１ｃ（挿通孔１０２の上側周面）と先端面１０１ａとの角部で折り曲げて先端面１０１ａに沿わせ、さらに先端面１０１ａと当接面１０１ｂとの角部で折り返し、爪部１０４の先端部を当接面１０１ｂに当接させて、爪部１０４を係止凸部１０１に係止させる。
【０００４】
特許文献１には、音透過板の周縁部下方に形成された複数の脚部をキャビネットに形成された複数の脚孔に挿入して音透過板を回動することにより脚部先端の足部を脚孔に係合させた後、脚部に対応して下方に突起を有する固定リングを音透過板の外側に嵌着する音透過板の取付構造の発明が開示されている。
【特許文献１】特開２００５−０２０１１５号公報
【発明の開示】
【発明が解決しようとする課題】
【０００５】
しかし、図８の音透過板の取付構造においては、音透過板１０３をキャビネット１００から取り外す場合、爪部１０４を掴んでも爪部１０４を係止凸部１０１から取り外し難いため、音透過板１０３の周縁部をペンチ等で掴み、音透過板１０３をキャビネット１００の裏側へ強引に引っ張って、爪部１０４を強引に変形させ、爪部１０４を挿通孔１０２から抜き出して解体しなければならず、音透過板１０３の取り外し作業性が悪いという問題があった。
特許文献１の取付構造の場合、音透過板をキャビネットから取り外すとき、キャビネットの背面側からキャビネットに対する固定リングの係止を機械的に解除しなければならず、作業が煩雑であるという問題があった。
【０００６】
本発明は、斯かる事情に鑑みてなされたものであり、音透過板は、周縁部の一部に爪部を複数備え、キャビネットは、各爪部を挿通させる挿通孔と、挿通孔の周面の一部が内側に突出してなり、前記周面の一部に沿って挿通させた爪部を折り曲げて沿わせる先端面、及び爪部を先端面の端部でさらに折り返して当接させる当接面を有する係止凸部とを備え、当接面は、挿通孔の入側から奥側に向かって係止凸部が肉薄になるように前記周面の一部に対し傾斜するように構成することにより、ペンチ等を用いて音透過板をキャビネットから取り外す場合に、音透過板の爪部の先端部を掴みやすく、先端部を掴んだ状態で当接面の傾斜に沿ってスライドさせ、潰すことで、容易に先端部の係止凸部への係止を解除することができ、容易に音透過板をキャビネットから解体することができる音透過板の取付構造を提供することを目的とする。
【０００７】
また、本発明は、先端面が、挿通孔の入側から奥側に向かって係止凸部が肉薄になるように、前記周面の一部に対し傾斜するように構成することにより、当接面をスライドさせた爪部の先端部を先端面にさらにスライドさせつつ押し潰すことができ、容易に、爪部を挿通孔から取り出すことができる音透過板の取付構造を提供することを目的とする。
【０００８】
そして、本発明は、キャビネットが、挿通孔の係止凸部に対向する側に設けられた突起部と、突起部の係止凸部と反対側に設けられた凹部とを備えることにより、爪部の先端部を突起部に押圧して該先端部を潰しやすくなるとともに、凹部にペンチ等の用具の一端部を係止させることで、用具の他端部で爪部の先端部を掴みやすくなる音透過板の取付構造を提供することを目的とする。
【０００９】
さらに、本発明は、キャビネットが、前記凹部を有し、音声が透過される側に設けられたキャビネット半体と、音声が透過される側と反対側に設けられたキャビネット半体とからなり、該キャビネット半体は、前記凹部に嵌合されるように構成することにより、ペンチ等の用具の一端部を係止させる凹部がキャビネット半体の嵌合部を兼ねるので、この音透過板の取付構造を有する機器がコンパクトになる音透過板の取付構造を提供することを目的とする。
【００１０】
また、本発明は、音源と、音源を覆うキャビネットと、音源及びキャビネットを覆い、音源で発生した音声を外部へ透過させる音透過板とを備え、上述のいずれかの音透過板の取付構造により音透過板がキャビネットに取り付けられるように構成することにより、解体を容易に行うことができる音声出力装置を提供することを目的とする。
【００１１】
そして、本発明は、表示面と、音源と、表示面の周縁部及び音源を覆うキャビネットと、音源及びキャビネットの音源を覆っている部分を覆う音透過板とを備え、上述のいずれかの音透過板の取付構造により音透過板がキャビネットに取り付けられるように構成することにより、解体を容易に行うことができる表示装置を提供することを目的とする。
【課題を解決するための手段】
【００１２】
本発明に係る音透過板の取付構造は、音源で発生した音声を外部へ透過させる音透過板を、前記音源を覆うキャビネットの一部又は全部を覆うように取り付ける構造であり、前記音透過板は、周縁部の一部に爪部を複数有し、前記キャビネットは、各爪部を挿通させる挿通孔と、該挿通孔の周面の一部が内側に突出してなり、前記周面の一部に沿って挿通させた前記爪部を折り曲げて沿わせる先端面、及び前記爪部を前記先端面の端部でさらに折り返して当接させる当接面を有する係止凸部とを備え、前記爪部が前記先端面及び当接面に係止される取付構造において、前記当接面は、前記挿通孔の入側から奥側に向かって前記係止凸部が肉薄になるように、前記周面の一部に対し傾斜していることを特徴とする。
【００１３】
本発明においては、当接面が傾斜しているので、ペンチ等の用具を用いて音透過板をキャビネットから取り外す場合に、音透過板の爪部の先端部を掴みやすく、先端部を掴んだ状態で当接面の傾斜に沿ってスライドさせ、爪部を偏平状に潰すことで、容易に先端部の係止凸部への係止を解除して挿通孔から抜き出すことができ、容易に音透過板をキャビネットから解体することができる。
【００１４】
本発明に係る音透過板の取付構造は、前記先端面は、前記挿通孔の入側から奥側に向かって前記係止凸部が肉薄になるように、前記周面の一部に対し傾斜していることを特徴とする。
【００１５】
本発明においては、当接面をスライドさせた爪部の先端部を先端面にさらにスライドさせつつ押し潰すことができ、容易に、爪部を挿通孔から取り出すことができる。
【００１６】
本発明に係る音透過板の取付構造は、前記キャビネットは、前記挿通孔の前記周面の一部に対向する部分が内側に突出してなる突起部と、該突起部の前記挿通孔と反対側に設けられた凹部とを備えることを特徴とする。
【００１７】
本発明においては、爪部の先端部を突起部に押圧して該先端部を潰しやすくなる。
そして、凹部にペンチ等の用具の一端部を係止させることで、用具の他端部で爪部の先端部を掴みやすくなる。
【００１８】
本発明に係る音透過板の取付構造は、前記キャビネットは、前記凹部を有し、音声を透過させる側に設けられたキャビネット半体と、音声を透過させる側と反対側に設けられたキャビネット半体とからなり、該キャビネット半体は、前記凹部に嵌合されるように構成されていることを特徴とする。
【００１９】
本発明においては、ペンチ等の用具の一端部を係止させる凹部がキャビネット半体の嵌合部を兼ねるので、この音透過板の取付構造を有する機器の構造が簡単になり、コンパクトになる。
【００２０】
本発明に係る音声出力装置は、音源と、該音源を覆うキャビネットと、前記音源及びキャビネットを覆い、前記音源で発生した音声を外部へ透過させる音透過板とを備える音声出力装置において、上述のいずれかの音透過板の取付構造により前記音透過板が前記キャビネットに取り付けられていることを特徴とする。
【００２１】
本発明においては、解体を容易に行うことができる。
【００２２】
本発明に係る表示装置は、表示面と、音源と、前記表示面の周縁部及び前記音源を覆うキャビネットと、前記音源、及び前記キャビネットの前記音源を覆っている部分を覆い、前記音源で発生した音声を外部へ透過させる音透過板とを備える表示装置において、上述のいずれかの音透過板の取付構造により前記音透過板が前記キャビネットに取り付けられていることを特徴とする。
【００２３】
本発明においては、液晶テレビ受像機等の表示装置において、解体を容易に行うことができる。
【発明の効果】
【００２４】
本発明の音透過板の取付構造によれば、キャビネットの係止凸部の、音透過板の爪部の先端部を当接させる当接面が、爪部を挿通させる挿通孔の入側から奥側に向かって係止凸部が肉薄になるように、挿通孔の周面の一部に対し傾斜するように構成されているので、ペンチ等の用具を用いて音透過板をキャビネットから取り外す場合に、音透過板の爪部の先端部を掴みやすく、先端部を掴んだ状態で当接面の傾斜に沿ってスライドさせ、爪部を偏平状に潰すことで、容易に先端部の係止凸部への係止を解除して挿通孔から抜き出すことができ、容易に音透過板をキャビネットから解体することができる。
【００２５】
また、本発明の音透過板の取付構造によれば、係止凸部の先端面が、挿通孔の入側から奥側に向かって係止凸部が肉薄になるように、挿通孔の周面の一部に対し傾斜するように構成されているので、当接面をスライドさせた爪部の先端部を先端面にさらにスライドさせつつ押し潰すことができ、容易に、爪部を挿通孔から取り出すことができる。
【００２６】
そして、本発明の音透過板の取付構造によれば、キャビネットが、挿通孔の係止凸部に対向する側に設けられた突起部と、突起部の係止凸部と反対側に設けられた凹部とを備えているので、爪部の先端部を突起部に押圧して該先端部を潰しやすくなるとともに、凹部にペンチ等の一端部を係止させることで、ペンチの他端部で爪部の先端部を掴みやすくなる。
【００２７】
さらに、本発明の音透過板の取付構造によれば、キャビネットが、前記凹部を有し、音声が透過される側に設けられたキャビネット半体と、音声が透過される側と反対側に設けられたキャビネット半体とからなり、該キャビネット半体は、前記凹部に嵌合されるように構成されているので、ペンチ等の用具の一端部を係止させる凹部がキャビネット半体の嵌合部を兼ね、構造が簡単になり、この音透過板の取付構造を有する機器がコンパクトになる。
【００２８】
また、本発明の音声出力装置によれば、音源と、音源を覆うキャビネットと、音源及びキャビネットを覆い、音源で発生した音声を外部へ透過させる音透過板とを備え、上述のいずれかの音透過板の取付構造により音透過板がキャビネットに取り付けられるように構成されているので、解体を容易に行うことができる。
【００２９】
そして、本発明の表示装置によれば、表示面と、音源で発生した音声を外部へ透過させる音声出力部と、表示面の周縁部及び音源を覆うキャビネットと、音源、及びキャビネットの音源を覆っている部分を覆う音透過板とを備え、上述のいずれかの音透過板の取付構造により音透過板がキャビネットに取り付けられるように構成されているので、解体を容易に行うことができる。
【発明を実施するための最良の形態】
【００３０】
以下、本発明をその実施の形態を示す図面に基づいて具体的に説明する。
実施の形態１．
図１は、本発明の実施形態１に係る表示装置９の一部の構成を示す断面図、図２は、表示装置９のフロントキャビネット９１の構成を示す概略正面図である。
【００３１】
液晶テレビ受像機としての表示装置９は正面視が略矩形状であり、テレビ画像を表示する表示面９２ａを有する表示部９２と、表示面９２ａの周縁部を覆うフロントキャビネット９１と、表示面９２ａの裏側を覆うリアキャビネット９３とを備えている。
【００３２】
表示装置９の下部には、音声出力装置４が装着されている。
音声出力装置４は、ウーハ等の音源１と、該音源１を覆い、表示装置９のフロントキャビネット９１と連接されるキャビネット２と、該キャビネット２の前面及び音源１を覆い、音源１で発生した音声を外部へ透過させる多数の音声透過孔を有する音透過板３とを備えており、横方向の長さが縦方向の長さより長い略矩形状に形成されている。
音源１は、低音の音波を発生するウーハと、中高音の音波を発生するスコーカと、高音の音波を発生するツィータとを備えており、これらが横方向に離隔して並置されている。      
【００３３】
キャビネット２は合成樹脂製又はアルミニウム製であり、横方向の両側に２組の音源１を支持する支持部及び音声を通過させる孔を有し、下辺部に複数の挿通孔２０，２０，…が長手方向に離隔して設けられている。
キャビネット２の各挿通孔２０の上側には、内側に向けて延出した係止凸部２１が設けられており、挿通孔２０の下側には、係止凸部２１よりさらに内側に向けて延出した突起部２２が設けられている。
【００３４】
係止凸部２１は、挿通孔２０の上側周面である底面２１ｃと、後述する音透過板３の爪部３１が挿通孔２０に挿通された場合に、爪部３１を挿通孔２０の奥側で折り曲げて沿わせる先端面２１ａと、爪部３１の先端部を先端面２１ａとの角部で折り返して当接させる当接面２１ｂとを備えている。当接面２１ｂは挿通孔２０の入側から奥側に向かって係止凸部２１が肉薄になるように、例えば略１０°の角度で底面２１ｃに対し傾斜している。なお、この角度は１０°に限定されない。そして、先端面２１ａも挿通孔２０の入側から奥側に向かって係止凸部２１が肉薄になるように上向きに傾斜している。
突起部２２は、挿通孔２０の下側周面である延出面２２ｂを有する。キャビネット２の突起部２２の延出面２２ｂの反対側には凹部２２ａが設けられている。突起部２２の内側には、傾斜して凹部２２ａに連なるガイド面２２ｃが設けられており、凹部２２ａには、ガイド面２２ｃに案内されて、前記リアキャビネット９３の底面側先端部が嵌合されている。
【００３５】
音透過板３は、ステンレス等の金属板を、キャビネット２に対応する矩形状に成形してなり、全面、又は前記音源１に対応する部分に、前記音声透過孔を有する。そして、音透過板３の下辺部には、各挿通孔２０に挿通される前記爪部３１，３１…が、上辺部には爪部３２，３２，…が設けられている。
【００３６】
爪部３１は、板状、又は矩形枠状をなす。
図３は、矩形枠状である爪部３１を示す斜視図であり、（ａ）は爪部３１が展開した状態を示す斜視図、（ｂ）は、爪部３１を折り曲げた状態を示す斜視図である。
図３（ｂ）に示すように、爪部３１は２回折り曲げられて側面視がコの字状となり、係止凸部２１に係止されるように構成されている。
【００３７】
以上のように構成された表示装置９においては、音透過板３の下辺側端部を突起部２２の表面に沿うように折り曲げ、さらに挿通孔２０の入側で折り曲げて爪部３１を挿通孔２０に挿通させる。そして、爪部３１を底面２１ｃと先端面２１ａとの角部で折り曲げて先端面２１ａに沿わせ、さらに先端面２１ａと当接面２１ｂとの角部で折り曲げ、爪部３１の先端部を当接面２１ｂに当接させて、爪部３１を係止凸部２１に係止させる。
そして、音透過板３の上辺部に設けられた爪部３２を、フロントキャビネット９１とキャビネット２との連接部に設けられた挿通孔９１ａに挿通させて、爪部３２を係止させ、音透過板３をキャビネット２に取り付ける。
【００３８】
以下に、表示装置９を解体し、音透過板３をキャビネット２から取り外す場合の作業について説明する。
図４乃至図６は、係止凸部２１及び突起部２２を示す一部拡大断面図である。
まず、図４に示すように、突起部２２の凹部２２ａへのリアキャビネット９３の嵌合を解除する。
そして、凹部２２ａにペンチ１０の一端部を引っ掛け、ペンチ１０の他端部を当接面２１ｂに当接させた爪部３１の先端部に掛けて係止凸部２１及び突起部２２を挟み、この状態で、当接面２１ｂの傾斜に沿って、前記先端部をスライドさせる。
【００３９】
次に、図５に示すように、当接面２１ｂをスライドさせた爪部３１の先端部を先端面２１ａにさらにスライドさせ、ペンチ１０の他端部により、突起部２２の延出面２２ｂに爪部３１の先端部を押し付けて、該先端部を二つ折りになるように押し潰す。
【００４０】
そして、図６に示すように、二つ折りにされた爪部３１の先端部を挿通孔２０から抜き出す。
【００４１】
以上のように構成された本実施の形態の表示装置９の音透過板３の取付構造においては、キャビネット２の係止凸部２１の当接面２１ｂが、挿通孔２０の入側から奥側に向かって係止凸部２１が肉薄になるように上向きに傾斜しているので、ペンチ１０を用いて音透過板３をキャビネット２から取り外す場合に、爪部３１の先端部を掴みやすく、先端部を掴んだ状態で当接面２１ｂの傾斜に沿ってスライドさせることで、容易に先端部の係止凸部２１への係止を解除することができる。
そして、当接面２１ｂをスライドさせた爪部３１の先端部を、上向きに傾斜した先端面２１ａにさらにスライドさせ、該先端部を突起部２２に押圧して押し潰すことで、容易に、爪部３１を挿通孔２０から取り出すことができる。
【００４２】
なお、前記実施の形態においては、凹部２２ａがリアキャビネット９３の底面側先端部のキャビネット２への嵌合部を兼ねる場合につき説明しているがこれに限定されるものではない。但し、凹部２２ａが前記嵌合部を兼ねる方が表示装置９の構成が簡単になり、コンパクトになるので、好ましい。
また、前記実施の形態においては、キャビネット２が突起部２２を備える場合につき説明しているがこれに限定されるものではなく、ペンチ１０の一端部をキャビネット２の下端部に引っ掛けて、ペンチ１０の他端部で爪部３１の先端部を押さえるようにしてもよい。但し、突起部２２を備える方が、突起部２２の延出面２２ｂに、爪部３１の先端部を押圧して潰しやすくなるので、好ましい。
【００４３】
実施の形態２．
図７は、本発明の実施の形態２に係る表示装置のキャビネット２の係止凸部２３及び突起部２２を示す一部拡大断面図である。実施の形態２に係る表示装置は、係止凸部２３の形状が、実施の形態１に係る表示装置９の係止凸部２１の形状と異なる他は、表示装置９と同一の構造を有する。
【００４４】
本実施の形態に係る係止凸部２３は、挿通孔２０の一面を形成している底面２３ｃと、音透過板３の爪部３１が挿通孔２０に挿通された場合に、爪部３１を挿通孔２０の奥側で折り曲げて沿わせる先端面２３ａと、爪部３１の先端部を先端面２３ａとの角部で折り返して当接させる当接面２３ｂとを備えている。当接面２３ｂは挿通孔２０の入側から奥側に向かって係止凸部２３が肉薄になるように、例えば略１０°の角度で傾斜している。先端面２３ａは挿通孔２０の入側から奥側に向かって下向きに傾斜している。
【００４５】
本実施の形態においても、当接面２３ｂが、爪部３１を挿通させる挿通孔２０の入側から奥側に向かって係止凸部２３が肉薄になるように傾斜しているので、ペンチ１０を用いて音透過板３をキャビネット２から取り外す場合に、音透過板３の爪部３１の先端部を掴みやすく、先端部を掴んだ状態で当接面２３ｂの傾斜に沿ってスライドさせることで、容易に先端部の係止凸部２１への係止を解除することができる。そして、先端面２３ａは下向きに傾斜しているので、当接面２３ｂに沿ってスライドさせたペンチ１０の端部の当接面２３ｂへの係止が当接面２３ｂの先端部で解除され、迅速に爪部３１を潰すことができる。
【００４６】
なお、前記実施の形態１及び２においては、金属製の音透過板３を用いた場合につき説明しているがこれに限定されるものではなく、音透過板３は合成樹脂製であってもよい。
また、前記実施の形態１及び２においては、本発明の音透過板３のキャビネット２への取付構造を液晶テレビ受像機としての表示装置に適用した場合につき説明しているがこれに限定されるものではなく、他の表示装置に適用してもよく、単一の音声出力装置に適用してもよく、音声出力装置を備える他の電子機器に適用してもよい。
【図面の簡単な説明】
【００４７】
【図１】本発明の実施形態１に係る表示装置の一部の構成を示す断面図である。
【図２】表示装置のフロントキャビネットの構成を示す概略正面図である。
【図３】矩形枠状である爪部を示す斜視図である。
【図４】係止凸部及び突起部を示す一部拡大断面図である。
【図５】係止凸部及び突起部を示す一部拡大断面図である。
【図６】係止凸部及び突起部を示す一部拡大断面図である。
【図７】本発明の実施の形態２に係る表示装置のキャビネットの係止凸部及び突起部を示す一部拡大断面図である。
【図８】音透過板をキャビネットから分離することができる音透過板の取付構造の一部を示す断面図である。
【符号の説明】
【００４８】
１  音源
２  キャビネット
２０  挿通孔
２１、２３  係止凸部
２１ａ、２３ａ  先端面
２１ｂ、２３ｂ  当接面
２１ｃ、２３ｃ  底面
２２  突起部
２２ａ  凹部
２２ｂ  延出面
２２ｃ  ガイド面
３  音透過板
３１  爪部
４  音声出力装置
９  表示装置
９１  フロントキャビネット
９２  表示部
９２ａ  表示面
９３  リアキャビネット
【図１】
2008109297.tif 000003
【図２】
2008109297.tif 000004
【図３】
2008109297.tif 000005
【図４】
2008109297.tif 000006
【図５】
2008109297.tif 000007
【図６】
2008109297.tif 000008
【図７】
2008109297.tif 000009
【図８】
2008109297.tif 000010